(57)【要約】【課題】駐輪時においてスタンドを起立状態とした場合においては自動的にロック状態になされ、また開錠可能な鍵が装着されたときにおいて、スタンドのロック状態を解除可能にするロック解除手段を備えた自転車用スタンドを提供すること。【解決手段】自転車の後輪軸付近において、スタンド部材７が回動可能に支持されており、前記スタンド部材と一体に円弧状部材１１が形成されている。この円弧状部材１１の周縁部１１ａには切欠き凹部１２が形成され、スタンド部材が起立状態にされたときにロック部材１３が切欠き凹部１２に嵌入して、スタンド部材７は自動的にロックされる。ロック解除手段９における開口部９ａに開錠可能な鍵１０が装着された場合においてのみ、ロック部材１３が前記切欠き凹部１２から退避され、スタンド部材７のロック状態が解除される。【選択図】図２
2008044453.tif 000002
【特許請求の範囲】
【請求項１】
自転車の後輪軸付近に取り付けられたスタンド取り付け板によって回動可能に支持され、自転車を自立した状態に保持させる起立状態もしくは自転車の利用時において跳ね上げ状態になされるスタンド部材と、
前記スタンド取り付け板におけるスタンド部材の支持点を回転中心にして形成され、前記スタンド部材の回動に伴って周縁部が回動されると共に、当該周縁部の一部に切欠き凹部が形成された円弧状部材と、
前記スタンド部材が起立状態にされたとき、前記円弧状部材の周縁部に形成された切欠き凹部に嵌入することで、前記スタンド部材の回動を阻止するロック部材と、
前記スタンド部材に取り付けられると共に、当該スタンド部材の軸方向への踏み込み操作により前記切欠き凹部に嵌入したロック部材を、当該切欠き凹部から退避させるように駆動するロック解除レバーと、
開錠可能な鍵が装着された場合においてのみ、前記切欠き凹部に嵌入した状態のロック部材を前記ロック解除レバーの操作により前記切欠き凹部から退避可能にさせるロック解除手段と、
を具備したことを特徴とする自転車用スタンド。
【請求項２】
前記ロック解除レバーの踏み込み操作による駆動力を、検索ワイヤを利用して伝達させることで、前記ロック部材の退避動作が行われるように構成したことを特徴とする請求項１に記載された自転車用スタンド。
【発明の詳細な説明】
【技術分野】
【０００１】
この発明は自転車用スタンドに関し、特に駐輪時においてスタンドを立てた場合（起立状態とした場合）においては、スタンドはその状態で自動的にロック状態になされると共に、開錠可能な鍵が装着されたときにおいて、スタンドのロック状態を解除可能にするロック解除手段を備えた自転車用スタンドに関する。
【背景技術】
【０００２】
通常、自転車にはその駐輪時に自立させておくためのスタンドが具備されている。このスタンドは後輪軸の両端部付近において回動可能に取り付けられ、自転車の利用時において後部方向に跳ね上げることができるように構成された門形をなす両脚形スタンドや、後輪軸付近の一端側において回動可能に取り付けられるロッド状の片脚形スタンドが存在する。
【０００３】
そして、前記した両脚形あるいは片脚形スタンドのいずれにおいても、駐輪時においてスタンドを起立状態にロックさせるためのロック機構が具備されている。
この自転車用スタンドのロック機構における従来例として、次に示す特許文献１または２に示すものが提案されている。
【特許文献１】実開平６−８１８８２号公報
【特許文献２】実開平７−１１４９２号公報
【発明の開示】
【発明が解決しようとする課題】
【０００４】
前記特許文献１または２には、片脚形スタンドのロック機構が示されている。これは自転車の後輪軸付近に取り付けられたスタンド取り付け板に対して、一端が回動可能に取り付けられたロッド状のスタンド部材と、このスタンド部材の根元付近に回動可能に取り付けられたロックレバーが具備され、さらにロックレバーと前記取り付け板との間に、引っ張りバネがオーバセンターの状態で張架された構成にされている。
【０００５】
そして自転車を駐輪するには、跳ね上げ状態にあるスタンド部材を、ほぼ９０度程度回動させて起立状態にし、下向きにされたロックレバーの先端部を自転車の前側方向に回動させる操作を実行する。これにより、前記ロックレバーの一部が前記スタンド取り付け板の一部に嵌まり込んで、スタンド部材は起立状態でロックされる。
【０００６】
また、自転車を利用するに際して、前記スタンド部材のロック状態を解除するには、下向き状態の前記ロックレバーを自転車の後側方向に回動させることでスタンドのロック状態を外し、この状態でスタンド部材を後方に跳ね上げることで、前記引っ張りバネの作用によりスタンド部材は跳ね上げられた状態に保持される。
【０００７】
前記した構成による自転車用スタンドのロック装置によると、スタンド部材をロックさせる場合、またそのロックを外す場合において、自転車の後輪軸付近に下向きに配置された前記ロックレバーの先端部を、自転車の前側方向または後側方向に回動させる操作が必要になる。
【０００８】
前記したロック操作およびその解除は、通常においては足先によって操作するようにされるが、ロックレバーの先端部が下向きに配置されていることで、その操作性が悪く、時には駐輪に際してスタンドのロック操作をしない状態にされる場合もある。
【０００９】
そこで、前記した従来における自転車用スタンドの操作性の問題点に着目し、駐輪時においてスタンドを立てた場合においては、スタンドはその状態で自動的にロック状態になされると共に、スタンド部材に取り付けられたロック解除レバーを下方に踏み込む単純な操作を実行することにより、容易にスタンドのロック状態を解除することができる自転車用スタンドについて、本件出願人は先に特願２００６−１８５６４として出願している。
【００１０】
先に出願した自転車用スタンドにおいては、スタンドを立てた場合において自動的にロック状態になされ、またロック解除レバーを下方に踏み込むことでスタンドのロック状態を容易に解除できる点で操作性に優れているものの、盗難予防の点で改良の余地が残されている。
【００１１】
そこで、この発明は、開錠可能な鍵が装着された場合においてのみ、スタンドのロック状態を解除可能にするロック解除手段をさらに具備させることにより、盗難予防に貢献できるより実用的な自転車用スタンドを提供することを課題とするものである。
【課題を解決するための手段】
【００１２】
前記した課題を解決するためになされたこの発明にかかる自転車用スタンドは、自転車の後輪軸付近に取り付けられたスタンド取り付け板によって回動可能に支持され、自転車を自立した状態に保持させる起立状態もしくは自転車の利用時において跳ね上げ状態になされるスタンド部材と、前記スタンド取り付け板におけるスタンド部材の支持点を回転中心にして形成され、前記スタンド部材の回動に伴つて周縁部が回動されると共に、当該周縁部の一部に切欠き凹部が形成された円弧状部材と、前記スタンド部材が起立状態にされたとき、前記円弧状部材の周縁部に形成された切欠き凹部に嵌入することで、前記スタンド部材の回動を阻止するロック部材と、前記スタンド部材に取り付けられると共に、当該スタンド部材の軸方向への踏み込み操作により前記切欠き凹部に嵌入したロック部材を、当該切欠き凹部から退避させるように駆動するロック解除レバーと、開錠可能な鍵が装着された場合においてのみ、前記切欠き凹部に嵌入した状態のロック部材を前記ロック解除レバーの操作により前記切欠き凹部から退避可能にさせるロック解除手段とを具備した点に特徴を有する。
【００１３】
この場合、前記ロック解除レバーの踏み込み動作による駆動力を、検索ワイヤを利用して伝達させることで、前記ロック部材の退避動作が行われるように構成されていることが望ましい。
【発明の効果】
【００１４】
前記した構成の自転車用スタンドによると、自転車を自立した状態に保持させるためにスタンド部材を起立させた場合、前記スタンド部材の支持点を回転中心にして形成された円弧状部材の切欠き凹部に対してロック部材が嵌入されるように作用する。これにより、スタンド部材は自動的に起立状態にロックされ、自転車を自立状態に保持させることができる。
【００１５】
また、前記スタンド部材に取り付けられたロック解除レバーを前記スタンド部材の軸方向へ踏み込むように操作することで、前記切欠き凹部に嵌入したロック部材を、当該切欠き凹部から退避させることができ、これにより容易に前記スタンド部材のロック状態を解除させることができる。
【００１６】
この場合、開錠可能な鍵が装着された場合においてのみ、前記切欠き凹部に嵌入した状態のロック部材を切欠き凹部から退避可能にすることができるので、開錠可能な鍵を所有する者以外はたとえロック解除レバーの踏み込み操作を行っても、スタンド部材のロック状態を解除することはできない。すなわち、開錠可能な鍵を装着しない限りはスタンド部材を跳ね上げ状態にすることはできず、これにより、自転車の盗難防止に貢献することができる。
【発明を実施するための最良の形態】
【００１７】
以下、この発明にかかる自転車用スタンドについて、図に示す実施の形態に基づいて説明する。図１は自転車における後輪部分を示したものであり、後輪１はフレームを構成するチェーンステー２と、シートステー３との交差位置に備えられた後輪軸４に回転可能に取り付けられている。
【００１８】
そして、図１に示す自転車においては、前記後輪軸付近にスタンド取り付け板５が取り付けられ、この取り付け板５に配置された支持軸６を介してスタンド部材７の一端部が、前記取り付け板５に対して回動可能に取り付けられている。
なお、この図１に示す実施の形態においては、スタンド部材７は１本のロッド部材を用いた周知の片脚形スタンドの構成を示している。
【００１９】
片脚形スタンドを構成するロッド状の前記スタンド部材７は、実線で示したように起立状態にすることで、自転車を自立させた駐輪状態にすることができる。また自転車を利用するに際しては、前記スタンド部材７は鎖線で示したように、その軸方向がほぼ水平状態となる跳ね上げ状態にされる。
すなわち、前記スタンド部材７は前記起立状態と跳ね上げ状態との間で、ほぼ９０度の範囲で回動できるように前記取り付け板５に取り付けられている。
【００２０】
なお、後で詳細に説明するが前記スタンド部材７の先端部側にはロック解除レバー８が、スタンド部材７の軸方向に直交する状態で取り付けられており、前記ロック解除レバー８を踏み込み操作することで、スタンド部材７を跳ね上げ状態にすることができる。
また同様に後で詳細に説明するが、開錠可能な鍵が装着された場合においてのみ、前記ロック解除レバー８の踏み込み操作によりスタンド部材７を跳ね上げ状態にすることができる筐体状に形成されたロック解除手段９が、スタンド取り付け板５に取り付けられている。
【００２１】
図２は、前記した自転車用スタンドのより詳細な構成を拡大して示したものであり、すでに説明した図１に示された各部と同一部分は、同一符号で示している。
前記したスタンド部材７には、その支持軸６を介したスタンド部材７とは反対側に、円弧状部材１１が前記スタンド部材７と一体に形成されている。
そして、前記円弧状部材１１は、スタンド部材７の支持点である前記支持軸６を回転中心にして、その周縁部１１ａが同一の円軌跡をもって回動されるように構成されている。
【００２２】
図３は、図２に示す矢印Ａ方向から主に円弧状部材１１ならびに後述するロック解除手段９を視た状態を示しており、図４は、前記円弧状部材１１の単体を図２に示した場合と同方向から視た状態で示している。そして、すでに説明した図１および図２に示された各部と同一部分は、同一符号で示している。
【００２３】
図３および図４に示すように、前記円弧状部材１１の周縁部１１ａの一部には、切欠き凹部１２が形成されている。そして、前記スタンド部材７が起立状態にされることにより、円弧状部材１１は図４に示す矢印Ｂ方向に回動され、前記切欠き凹部１２に対して、ロック部材１３が嵌入されるように構成されている。
すなわち、前記ロック部材１３が切欠き凹部１２に嵌入されることで、前記スタンド部材７は起立状態でロックされるように構成されている。
【００２４】
前記ロック部材１３は図３に詳しく示されているように、筐体状に形成された前記したロック解除手段９の上面において、支軸１５により回動できるように取り付けられている。そして、ロック部材１３の一方の端が前記した円弧状部材１１の切欠き凹部１２に嵌入可能になされると共に、ロック部材１３の他方の端には、Ｌ字状の立ち上げ部１３ａが形成され、スライド軸１６に取り付けられた平板状の当接部材１７が前記Ｌ字状の立ち上げ部１３ａに当接されるように構成されている。
【００２５】
前記スライド軸１６は、図２および図３に示されているように、前記したロック解除手段９を構成する筐体の上面において、一対の支持部材２１，２２によって軸方向に摺動可能に支持されている。
そして、スライド軸１６のほぼ中央部に取り付けられた係止片２３と、前記一方の支持部材２２との間には、スライド軸１６の軸方向に沿ってコイルバネ２４が圧縮状態で装着されており、このコイルバネ２４の伸長作用により、前記スライド軸１６は、図３に示した矢印Ｃ方向に付勢されるように構成されている。
【００２６】
したがって、前記したロック部材１３における前記円弧状部材１１に対峙する一方の端部は、図４に示したように円弧状部材１１が矢印Ｂ方向に回動されるに際し、前記コイルバネ２４付勢力を受けて、その周縁部１１ａに摺接しつつ、前記切欠き凹部１２に嵌入されるように作用する。これにより、前記スタンド部材７は、先に説明したとおり起立状態でロックされる。
【００２７】
一方、図２に示すように前記スタンド部材７の先端部側には、ロック解除レバー８がスタンド部材７の軸方向に直交する状態で取り付けられている。
このロック解除レバー８は、一例としてスタンド部材７にねじ込まれたボルト３１を介して回動可能となるように一端部が取り付けられており、前記レバー８は、常時においては図２に示されたようにスタンド部材７が起立状態になされた状態で、ほぼ水平方向に向くように設定されている。
【００２８】
そして、前記ロック解除レバー８における前記ボルト３１に近い位置において、検索ワイヤ３２の一端が接続されており、この検索ワイヤ３２の他端は前記スライド軸１６の端部に接続されている。
なお、前記検索ワイヤ３２は可撓性の外皮管３３内に収容されて、検索力を伝達するワイヤレリーズを構成している。
したがって、スタンド部材７を起立状態にして前記したとおりスタンドをロックした状態において、前記ロック解除レバー８を例えば足先で踏み込む操作をすることで、前記検索ワイヤ３２を介してスタンドのロック状態を解除することができる。
【００２９】
すなわち、前記ロック解除レバー８を例えば足先で踏み込む操作をすることで、図３に示されたように検索ワイヤ３２を介して前記スライド軸１６は、矢印Ｃとは反対側に牽引される。この動作によりスライド軸１６に取り付けられた環状の当接部材１７が、前記ロック部材１３に形成されたＬ字状の立ち上げ部１３ａに当接される。
これによりロック部材１３は、支軸１５を介して回動作用を受け、図４に実線で示したように円弧状部材１１の周縁部１１ａに形成された切欠き凹部１２から退避して、スタンド部材７はロック解除状態となる。
【００３０】
なお、図２に示すように前記したスタンド取り付け板５に樹立された係合ピン３４と、スタンド部材７に樹立された係合ピン３５との間にはコイルバネ３６が張架されており、このコイルバネ３６の収縮作用により、スタンド部材７は跳ね上げ状態になされるように付勢されている。
したがって、前記したようにスタンドのロック状態が解除された場合には、前記コイルバネ３６の作用により、スタンド部材７は跳ね上げ状態になされる。
【００３１】
以上の説明は、以降において説明するロック解除手段９に開錠可能な鍵が装着されている場合についての作用を説明するものである。すなわち、ロック解除手段９は、すでに説明したように筐体状に形成され、図３に示すようにその側壁面より鍵１０が装着されるように構成されている。なお、図２に示す符号９ａは、前記鍵１０が挿入される挿入口を示している。
【００３２】
前記ロック解除手段９における鍵挿入口９ａに、開錠可能な鍵１０が挿入された場合においては、ロック解除手段９の上面に突出している係合部９ｂが、その上面と面一状態になるようにロック解除手段９内に没入されるように動作する。
したがって、この状態においては前記したロック部材１３は、前記したロック解除レバー８の踏み込み動作を受けて、前記したとおりロック解除手段９の上面において支軸１５を介して回動し、スタンド部材７のロック状態を解除することができる。
【００３３】
換言すれば、ロック解除手段９に開錠可能な鍵１０が装着されない場合においては、図２および図３に示すように係合部９ｂが、ロック解除手段９を構成する筐体の上面に突出し、ロック部材１３の回動を阻止するように作用する。
したがって、この状態においては、たとえロック解除レバー８の踏み込み操作を行っても、ロック解除レバー８は回動されることなく、スタンド部材７は起立状態にロックされたままとなる。それ故、スタンド部材７を跳ね上げ状態にすることはできない。
【００３４】
図５は前記したロック解除手段９の他の構成例を示すものであり、この図５においてはすでに説明して図３に示す各部と同一の機能を果たす部分を同一符号で示しており、したがってその詳細な説明は省略する。
この図５に示す構成においては、筐体を構成するロック解除手段９の上面に突出する係合部９ｂの位置が、図３に示す構成に比較して、支軸１５を介した円弧状部材１１側に配置されている。
【００３５】
したがって、図５に示す構成においても、ロック解除手段９に開錠可能な鍵１０が装着されない場合においては、係合部９ｂがロック解除手段９を構成する筐体の上面に突出し、ロック部材１３の回動を阻止するように作用する。それ故、図３に示した構成と同様の作用を得ることができる。
【００３６】
図６および図７は、前記したロック解除手段９の内部機構の一例を示すものであり、図６（ａ）は、鍵１０が装着される前の状態を、図６（ｂ）は開錠可能な鍵１０が装着された状態をそれぞれ断面図で示している。また図７はロック解除手段９とこれに装着される鍵１０について、一部を透視状態にした平面図で示している。そして、図７に示すＤ−Ｄ線より矢印方向に視た断面図が図６（ａ）に相当する。
【００３７】
図６に示すようにロック解除手段９を構成する筐体内には、前記した係合部９ｂを上端部に備えると共に、前記係合部９ｂと一体となって上下方向に移動できる傾斜面９ｃを備えた移動部材が内装されている。この移動部材は、その下底部に配置されたコイルバネ９ｄの作用により、係合部９ｂがロック解除手段９を構成する筐体の上面に突出する方向に付勢されている。
【００３８】
なお、図６（ａ）は係合部９ｂが筐体の上面から突出した状態、すなわち、これにより前記したロック部材１３の回動が阻止され、スタンド部材７がロック状態にされている場合を示している。
【００３９】
前記鍵１０は、一例として図７に示すように鍵１０の先端部に開錠用突起１０ａが形成されており、前記開錠用突起１０ａの形成位置によってロック解除手段９を開錠することができるように構成されている。すなわち、図７に示すように開錠可能な鍵１０が、鍵挿入口９ａに挿入された場合には、開錠用突起１０ａが前記した傾斜面９ｃに当接される。
【００４０】
したがって、この場合においては図６（ｂ）に示すように移動部材は下方に移動し、これに伴い前記係合部９ｂはロック解除手段９を構成する筐体の上面に対して面一状態となるようにロック解除手段９内に没入される。
これにより、前記したロック部材１３は、前記したロック解除レバー８の踏み込み動作を受けて、ロック解除手段９の上面において支軸１５を介して回動することができ、したがってスタンド部材７のロック状態を解除することが可能となる。
【００４１】
図６および図７に示したロック解除手段９は、メカニカルな手段を採用した基本的な構成を示すものであるが、前記ロック解除手段９はこれに限定されることなく電子ロックなどの他の施錠手段を採用することができることは勿論である。
【００４２】
なお、図２、図３および図５に示した構成においては、ロック解除手段９を構成する前記係合部９ｂが筐体の上面に露出した状態にされているが、この係合部９ｂを含む筐体の上面は例えば金属板で覆った構成にすることが望ましい。これにより開錠可能な鍵１０を装着せずにロック解除させる不正な操作が行われるのを防止させることができる。
【００４３】
以上説明した実施の形態によると、スタンド部材を起立状態にすることで、自動的にスタンドをロック状態にすることができ、またスタンド部材に取り付けられたロック解除レバーを前記スタンド部材の軸方向へ踏み込む簡単な操作を行なうことで、スタンドのロック状態を解除することが可能である。
【００４４】
また、前記した実施の形態によるとロック解除手段がさらに具備され、当該ロック解除手段に開錠可能な鍵が装着された場合においてのみ、スタンドのロック状態を解除することができ、前記ロック解除手段に開錠可能な鍵が装着されない限り、スタンド部材のロック状態を解除することはできない。これにより、自転車の盗難防止に貢献することができる。
【００４５】
なお、以上説明した実施の形態においては、スタンド部材として１本のロッド状部材を用いた片脚形スタンドを例示しているが、この発明は門形をなす両脚形スタンドにも適用することができる。
また、前記したロック解除レバーは、踏み込み動作をすることにより回動されるように構成されているが、このロック解除レバーは例えばＬ字形に形成され、踏み込み動作によりスタンド部材の軸方向に沿ってスライドされるように構成されていても良い。
【図面の簡単な説明】
【００４６】
【図１】この発明にかかるスタンドを装着した例を示す後輪部分の正面図である。
【図２】前記スタンド部分のより詳細な構成を拡大して示した正面図である。
【図３】図２に示す矢印Ａ方向から視た主に円弧状部材およびロック解除手段の上面図である。
【図４】前記円弧状部材の単体を示した正面図である。
【図５】図３に示すロック解除手段の他の実施の形態を示した上面図である。
【図６】ロック解除手段の内部構成の一例を示す断面図である。
【図７】ロック解除手段とこれに装着される鍵について、一部を透視状態で示した平面図である。
【符号の説明】
【００４７】
４      後輪軸
５      スタンド取り付け板
６      支持軸
７      スタンド部材
８      ロック解除レバー
９      ロック解除手段
９ａ    鍵装着用開口部
９ｂ    係合部
９ｃ    傾斜面
９ｄ    コイルバネ
１０    鍵
１０ａ  開錠用突起
１１    円弧状部材
１１ａ  周縁部
１２    切欠き凹部
１３    ロック部材
１６    スライド軸
３２    検索ワイヤ
【図１】
2008044453.tif 000003
【図２】
2008044453.tif 000004
【図３】
2008044453.tif 000005
【図４】
2008044453.tif 000006
【図５】
2008044453.tif 000007
【図６】
2008044453.tif 000008
【図７】
2008044453.tif 000009